(57)【特許請求の範囲】
【請求項１】
合成樹脂製で容器口部に係合圧接する筒壁１及び上壁２から成り、該上壁２には注筒３及びその内側に開口形成用スコア４が区画されてある中栓５において、前記上壁２上で、前記注筒３に又は注筒３と別体に、後記外蓋６の上係止部７と上方から係合する上係合部８を設け、前記筒壁１の下部に前記上係止部７より大径の後記外蓋６の下係止部９と上方から係合する下係合部１０を設け、前記中栓５の筒壁１外周に圧接嵌合する合成樹脂製の外筒壁１１に、ヒンジ１２を介して結合された蓋体１３から成る外蓋６を形成し、該外蓋６の前記外筒壁１１の上部に、前記上係合部８の下側から係止する上係止部７を設け、前記筒壁１の下部に設けた前記下係合部１０をその下側から係止する下係止部９を、前記外筒壁１１の下端部内面に形成された凹部１５の下端部１６から筒壁１の下係合部１０対して斜め上向に設けるとともに前記下係合部１０及び凹部１５を筒壁１の下端部に設けた閉止部１７で閉止し、更に前記外筒壁１１に栓抜き掛止ける掛止部１４を設けたことを特徴する、栓抜き使用の分別回収ヒンジキャップ。
【請求項２】
前記上係止部７と下係止部９は該両者７、９の比較において、上係止部７は比較的小径部として設けられ、下係止部９は比較的大径部として設けられている請求項１記載の栓抜き使用の分別回収ヒンジキャップ。
【請求項３】
下係止部９は外筒壁１１の内面から又は下端部から内方にかつ斜め上方に向けて設けられている請求項１、又は２記載の栓抜き使用の分別回収ヒンジキャップ。
【請求項４】
下係止部９は周方向において連続している請求項３記載の栓抜き使用の分別回収ヒンジキャップ。
【請求項５】
下係止部９は周方向において断続して形成されている請求項３記載の栓抜き使用の分別回収ヒンジキャップ。
【請求項６】
下係止部９は外筒壁１１の内側に形成された凹部１５の下端部１６に設けられている請求項１、２、３、４又は５記載の栓抜き使用の分別回収ヒンジキャップ。
【請求項７】
筒壁１下端部には凹部１５及び下係合部１０の下方を共に閉止する閉止部１７が設けられている請求項６記載の栓抜き使用の分別回収ヒンジキャップ。
【請求項８】
掛止部１４は上係止部７と下係止部９の間に対応する位置に形成されている請求項１、２、３、４、５、６又は７記載の栓抜き使用の分別回収ヒンジキャップ。
【請求項９】
掛止部１４は突起１８である請求項１、２、３、４、５、６、７又は８記載の栓抜き使用の分別回収ヒンジキャップ。
【請求項１０】
掛止部１４は欠如部１９である請求項１、２、３、４、５、６、７又は８記載の栓抜き使用の分別回収ヒンジキャップ。
【請求項１１】
掛止部１４は突起１８であり、その下部に欠如部１９を有している請求項１、２、３、４、５、６、７又は８記載の栓抜き使用の分別回収ヒンジキャップ。
【発明の詳細な説明】
【０００１】
【発明の属する技術分野】
この発明は容器の口部に打栓により装着して用い、この容器の内容品の消費後に、容器の回収に際しては、栓抜きを用いて容易に外し取ることのできる、栓抜き使用の分別回収ヒンジキャップに関するものである。
【０００２】
【従来の技術】
従来から図１０及び図１１に示すような中栓及び外蓋から成るヒンジキャップが広く用いられている。この発明は同図に示すキャップを改良するものであるため、まずこのキャップを説明する。同図において５はポリエチレン等の合成樹脂製の中栓であり、筒壁１及び上壁２から成り、これに注筒３及び開口形成用のスコア４が形成されている。なお前記筒壁１には、容器２１（図１１）の口部２２に形成された凹条２３に圧接係合する突条２４が形成されている。６は外蓋であり、前記筒壁１に圧接する外筒壁１１とこれにヒンジ１２を介して結合した蓋体１３とから成っている。２５は中栓５に形成された係合部、２６は外蓋６に形成された係止部である。又１４はこのキャップを栓抜きを用いて外し取る場合に栓抜きを掛止する掛止部である。２７は前記スコアを裂切る裂取部材、３２は注筒３を閉止する閉止環、３３はリブを示す。
消費者等は蓋体１３を開き、裂取部材２７によりスコア４を裂切り、容器２１内の図示しない内容品を注出して用いる。そして内容品消費後に容器２１の回収の場合は図１１に示すように栓抜き２８を前記掛止部１４にかけ、このキャップを外し取り、回収を行う。
【０００３】
【発明が解決しようとする課題】
しかし上記のような中栓５と外蓋６という２ピースから成るキャップにおいて、外蓋６に栓抜き２８を掛けこれを容器２１から外す場合前記系止部２６が系合部２５から外れてしまう恐れがある。このため外蓋６が中栓５から外れ、中栓５は依然として容器２１の口部２２上に圧接して残されてしまうことが懸念される。
この発明はこのような問題を解決するためになされたもので、その目的は、前記のような中栓５と外蓋６との２ピースから成る、打栓によって容器２１の口部２２に装着するキャップにおいて、容器２１の回収の際に中栓５と外蓋６とが外れてしまって中栓５のみが容器２１の口部２２に残ってしまう恐れがなく、確実に中栓５と外蓋６とを一体に外し取ることのできる、栓抜き使用の分別回収ヒンジキャップを提供することである。
【０００４】
【課題を解決するための手段】
上記の問題を解決するこの発明について述べるとそれは、合成樹脂製で容器口部に係合圧接する筒壁１及び上壁２から成り、該上壁２には注筒３及びその内側に開口形成用スコア４が区画されてある中栓５において、前記上壁２上で、前記注筒３に又は注筒３と別体に、後記外蓋６の上係止部７と上方から係合する上係合部８を設け、前記筒壁１の下部に前記上係止部７より大径の後記外蓋６の下係止部９と上方から係合する下係合部１０を設け、前記中栓５の筒壁１外周に圧接嵌合する合成樹脂製の外筒壁１１に、ヒンジ１２を介して結合された蓋体１３から成る外蓋６を形成し、該外蓋６の前記外筒壁１１の上部に、前記上係合部８の下側から係止する上係止部７を設け、前記筒壁１の下部に設けた前記下係合部１０をその下側から係止する下係止部９を前記外筒壁１１の下端部内面に形成された凹部１５の下端部１６から筒壁１の下係合部１０に対して斜め上向に設けるとともに前記下係合部１０及び凹部１５を筒壁１の下端部に設けた閉止部１７で閉止し、更に前記外筒壁１１に栓抜き掛止ける掛止部１４を設けたことを特徴する、栓抜き使用の分別回収ヒンジキャップである。
又、前記上係止部７と下係止部９は該両者７、９の比較において、上係止部７は比較的小径部として設けられ、下係止部９は比較的大径部として設けられている前記栓抜き使用の分別回収ヒンジキャップである。
又、下係止部９は外筒壁１１の内面から又は下端部から内方にかつ斜め上方に向けて設けられている前記栓抜き使用の分別回収ヒンジキャップである。
又、下係止部９は周方向において連続している前記栓抜き使用の分別回収ヒンジキャップである。
又、下係止部９は周方向において断続している前記栓抜き使用の分別回収ヒンジキャップである。
又、下係止部９は外筒壁１１の内側に形成された凹部１５の下端部１６に設けられている前記栓抜き使用の分別回収ヒンジキャップである。
又、筒壁１下端部には凹部１５及び下係合部１０の下方を共に閉止する閉止部１７が設けられている前記栓抜き使用の分別回収ヒンジキャップである。
又、掛止部１４は上係止部７と下係止部９の間に対応する位置に形成されている前記栓抜き使用の分別回収ヒンジキャップである。
又、掛止部１４は突起１８である前記栓抜き使用の分別回収ヒンジキャップである。
又、掛止部１４は欠如部１９である前記栓抜き使用の分別回収ヒンジキャップである。
又、掛止部１４は突起１８であり、その下部に欠如部１９を有している前記栓抜き使用の分別回収ヒンジキャップである。
【０００５】
【作用】
請求項１の発明は前記のように構成され、中栓５の上部に外蓋６の上係止部７と上方から係合する上係合部８を設け、かつ下部に外蓋６の下係止部９と上方から係合する下係合部１０を設け、外蓋６に前記上、下各係合部８、１０にそれぞれ係止する上、下係止部７、９を設け、それぞれ係止させ、外蓋６の外筒壁１１に栓抜きを掛止する掛止部１４を設けたことにより、容器内容の消費後にこのキャップを容器から外す場合、前記掛止部１４に栓抜きを掛けて栓抜き動作を行うと、その動作に伴って加えられる力は、図４に示すように中栓５の上下方向の二箇所において加えられるから、前記従来の場合のように上部に設けた一箇所の場合に、しかも横方向から係止しているためその係合部を中心に回転のモーメントが働いてしまって、その係合部が外れてしまうという恐れをなくすことができる。即ち下係止部９は下係合部１０を上方に押し上げることにより、これによって上係止部７をして上係合部８を上方に押し上げるから、中栓５と外蓋６とは一体となって容器の口部から外される。
これにより、下係止部９の作用によって上係止部７が、その先端部を中心として回動してしまうのを防止していることが理解されよう。
【０００６】
請求項２の発明は前記のように構成されたことにより、栓抜きによりキャップを外す場合、上係止部７は小径のため栓抜きの力が集中し易く、そのため上係止部７が外れる恐れがあったのであるが、上係止部７より比較的大径の下係止部９が下係合部１０に係止しているため、小径部のみに力が集中する現象は防止され、これにより上径止部７が外れ易い恐れをなくすことができる。
【０００７】
請求項３の発明は前記のように構成されたことにより、栓抜きを用いて栓抜き動作を行うと下係止部９は内側に斜め上方に向う力を加えられるから、その係止が深まる方向に移動することにより、自動的に係止を確実にすることができる。
【０００８】
請求項４の発明は前記のようにされたことにより、栓抜きを用いて栓抜き動作を行うと、下係止部９は下向きの力を加えられ、かつその直径が変化するのを妨げられるから、係止が強くなり、自動的に係止を確実にすることができる。
【０００９】
請求項５の発明は前記ように構成されたことにより、
外蓋６を中栓５に上方から装着する際に、下係止部９がもたらす抵抗を少くすることができる。
【００１０】
請求項６の発明は前記のように構成されたことにより、外蓋６を中栓５にその上から装着する際に、下係止部９は筒壁１に押されて凹部１５中に入るため、装着の抵抗を少なくすることができる。しかも下係止部９が下係合部１０に達すると下係止部９は自動的に前記凹部１５から出て下係合部１０に入るからその出入の手段を講じないですむ。
【００１１】
請求項７の発明は前記のように構成され、閉止部１７により凹部１５及び下係合部１０の下方は共に閉止されるから、下係止部９の係止状態を保証できる。
【００１２】
請求項８の発明は前記のように構成されたことにより、栓抜きを用いて栓抜き動作を行う際に上係止部７及び下係止部９の双方にほぼ均等に力を加えることができ、従って外蓋６が中栓５から外れてしまうのを防止できる。
【００１３】
請求項９の発明は前記のように構成されたことにより、掛止部１４は上係止部７及び下係止部９のそれぞれの係止部分より大径の部分となるから、栓抜き動作に際して中心に対するモーメントが前記両径止部７、９より大きくなるため、栓抜き動作を容易にすることができる。
【００１４】
請求項１０の発明は前記のように構成されたことにより、栓抜きの掛止する位置は半径方向において下係止部９に極めて近くなり、従って外筒壁１１を直上方向に近づけて押し上げる傾向となるから、下係止部９の係止を確実にすることができる。
【００１５】
請求項１１の発明は前記のように構成され、掛止部１４は突起１８の下部に欠如部１９が形成されているため、栓抜きに掛止する深さは突起１８だけの場合に較べて遥かに深く形成できるから、その分突起１８の、突出長さを短く形成することができ、外観をスマートに、商品価値の高い外観とすることができる。
【００１６】
【発明の実施の形態】
図１において、５は合成樹脂、一例としてポリエチレン製の中栓であり、筒壁１及び上壁２から成り、この上壁２に注筒３と、その内側の前記上壁２に開口形成用のスコア４が区画されている。８は後記外蓋と係合する上係合部で、同図においては注筒３の外側に設けられているが、これは図示は省略するが注筒３とは別に注筒３の外側の上壁２上に独立して設けられていてもよい。
又筒壁１の下部にも後記外蓋６と係合する溝状の下係合部１０が形成されている。その詳細は図３に示される。
【００１７】
次に６は外蓋であり、合成樹脂、一例としてポリプロピレンにより構成され、前記筒壁１に圧接する外筒壁１１及びこれにヒンジ１２により結合された蓋体１３によって形成されている。なおヒンジ１２は蓋体１３の閉止位置及び開放位置をそのまま保持できる形式のものである。そして前記外筒壁１１には前記上係合部８に、その下側から上下方向に係止する上係止部７が設けられている。又同外筒壁１１の下部には前記下係合部１０に、その下側から上下方向に係止する下係止部９が設けられている。１４は外筒壁１１に設けられた、栓抜き２８（図４）と掛止する掛止部であり、これは図２、図４に示すように突起１８として形成されてもよく、あるいは又図８に示すように欠如部１９として形成されてもよく、又図９に示すように突起１８の下部に欠如部１９を形成したものでもよい。なお図１において２７は前記スコア４を裂切る裂取り部材、２１は容器、２２はその口部、２３は同口部２２に形成された凹条であり、２４は筒壁１内面に形成されて同凹条２３に圧接係合する係合部、２９は前記口部２２内面に圧接する内筒、３０は蓋体１３と掛合する掛合部を示す。そして前記上係止部７と下係止部９は、この両者７、９の比較において上係止部７は比較的小径部として形成され、下径止部９は比較的大径部として形成されている。又前記下係止部９は図３に示すように、外筒壁１１の内面から又は下端部から内方にかつ斜め上方に向けて設けられていて、製造の課程は初め図５に示すように斜め下方に向けて形成され、後図６に示すように斜め上方に折り曲げられて形成される。そして同図に示すように形成された外蓋６は図７に示す中栓５に、矢印Ａ６方向に移動して圧接嵌合される。
【００１８】
この場合前記下係止部９は、前記筒壁１の外周により外方に押圧され、外筒壁１１の内面に形成された凹部１１内に収容されて移動する。このため筒壁１に大きな抵抗を与えないですむようになっている。なお前記下係止部９は図６に示すように全体が一体的に周方向に連続して形成されたが、この外図示は省略するが周方向において断続して、即ち多数に分割されて形成されていても差支えなく、このような構成も含むものである。
【００１９】
次に図３に示すように、筒壁１の下端部には前記凹部１５及び下係合部１０の下方を共に閉止する閉止部１７が設けられている。これにより前記両者９、１０は閉止され、その係止が保証されるようになっている。又前記掛止部１４については、上下方向において、上係止部７と下係止部９の間に対応する位置に形成されている。
消費者等の使用者は使用に際してまず蓋体１３を開け、裂取り部材２７を用いてスコア４を裂切り、容器２１内の図示しない内容商品を注出して使用する。内容商品の消費後に容器２１回収の際は、図４、図８、図９に示すように掛止部１４に栓抜き２８をかけ、栓抜き動作により容器２１から外し取り、容器２１を回収する。なお上記の、各実施例の各部分等の作用は、前記のこの発明の作用と殆ど同様であって、重複するため省略する。
【００２０】
【発明の効果】
請求項１の発明は前記のように構成され、中栓５の上部に外蓋６の上係止部７と上方から係合する上係合部８を設け、かつ下部に外蓋６の下係止部９と上方から係合する下係合部１０を設け、外蓋６に前記上、下各係合部８、１０にそれぞれ係止する上、下係止部７、９を設け、それぞれ係止させ、外蓋６の外筒壁１１に栓抜きを掛止する掛止部１４を設けたことにより、容器内容の消費後にこのキャップを容器から外す場合、前記掛止部１４に栓抜きを掛けて栓抜き動作を行うと、その動作に伴って加えられる力は、図４に示すように中栓５の上下方向の二箇所において加えられるから、前記従来の場合のように上部に設けた一箇所の場合に、しかも横方向から係止しているためその係合部を中心に回転のモーメントが働いてしまって、その係合部が外れてしまうという恐れをなくすことができる。即ち下係止部９は下係合部１０を上方に押し上げることにより、これによって上係止部７をして上係合部８を上方に押し上げるから、中栓５と外蓋６とは一体となって容器の口部から外される。
これにより、下係止部９の作用によって上係止部７が、その先端部を中心として回動してしまうのを防止していることが理解されよう。
【００２１】
請求項２の発明は前記のように構成されたことにより、栓抜きによりキャップを外す場合、上係止部７は小径のため栓抜きの力が集中し易く、そのため上係止部７が外れる恐れがあったのであるが、上係止部７より比較的大径の下係止部９が下係合部１０に係止しているため、小径部のみに力が集中する現象は防止され、これにより上径止部７が外れ易い恐れをなくすことができる。
【００２２】
請求項３の発明は前記のように構成されたことにより、栓抜きを用いて栓抜き動作を行うと下係止部９は内側に斜め上方に向う力を加えられるから、その係止が深まる方向に移動することにより、自動的に係止を確実にすることができる。
【００２３】
請求項４の発明は前記のように構成されたことにより、栓抜きを用いて栓抜き動作を行うと、下係止部９は下向きの力を加えられ、かつその直径が変化するのを妨げられるから係止が強くなり、自動的に係止を確実にすることができる。
【００２４】
請求項５の発明は前記ように構成されたことにより、外蓋６を中栓５に上方から装着する際に下係止部９がもたらす抵抗を少くすることができる。
【００２５】
請求項６の発明は前記のように構成されたことにより、外蓋６を中栓５にその上から装着する際に、下係止部９は筒壁１に押されて凹部１５中に入るため、装着の抵抗を少なくすることができる。しかも下係止部９が下係合部１０に達すると下係止部９は自動的に前記凹部１５から出て下係合部１０に入るからその出入の手段を講じないですむ。
【００２６】
請求項７の発明は前記のように構成され、閉止部１７により凹部１５及び下係合部１０の下方は共に閉止されるから、下係止部９の係止状態を保証できる。
【００２７】
請求項８の発明は前記のように構成されたことにより、栓抜きを用いて栓抜き動作を行う際に上係止部７及び下係止部９の双方にほぼ均等に力を加えることができ、従って外蓋６が中栓５から外れてしまうのを防止できる。
【００２８】
請求項９の発明は前記のように構成されたことにより、掛止部１４は上係止部７及び下係止部９のそれぞれの係止部分より大径の部分となるから、栓抜き動作に際して中心に対するモーメントが前記両係止部７、９より大きくなるため、栓抜き動作を容易にすることができる。
【００２９】
請求項１０の発明は前記のように構成されたことにより、栓抜きの掛止する位置は半径方向において下係止部９に極めて近くなり、従って外筒壁１１を直上方向に近づけて押し上げる傾向となるから、下係止部９の係止を確実にすることができる。
【００３０】
請求項１１の発明は前記のように構成され、掛止部１４は突起１８の下部に欠如部１９が形成されているため、栓抜きに掛止する深さは突起１８だけの場合に較べて遥かに深く形成できるから、その分突起１８の、突出長さを短く形成することができ、外観をスマートに、商品価値の高い外観とすることができる。
【図面の簡単な説明】
【図１】この発明の実施例を示し、栓抜き使用の分別回収ヒンジキャップの容器に装着した際の断面図である。
【図２】同上のキャップの背面図である。
【図３】図１に示すキャップの部分の拡大図である。
【図４】図１に示すキャップを栓抜きにより外す場合の断面図である。
【図５】図１に示すキャップの外蓋の製造工程を示す断面図である。
【図６】図５に示す行程の次の工程を示す図である。
【図７】図６に示す外蓋を嵌合装着する中栓の断面図である。
【図８】この発明の他の実施例を示し、栓抜きによりキャップを外し取る場合の部分断面図である。
【図９】この発明の更に他の実施例を示し、図８に相当する図である。
【図１０】従来の同種のキャップの一部断面図である。
【図１１】図１０に示す従来のキャップを栓抜きにより外す場合を示す図である。
【符号の説明】
１    筒壁
２    上壁
３    注筒
４    スコア
５    中栓
６    外蓋
７    上係止部
８    上係合部
９    下係止部
１０    下係合部
１１    外筒部
１２    ヒンジ
１３    蓋体
１４    掛止部
１５    凹部
１６    下端部
１７    閉止部
１８    突起
１９    欠如部
【図１】
0004381494.tif 000002
【図２】
0004381494.tif 000003
【図３】
0004381494.tif 000004
【図４】
0004381494.tif 000005
【図５】
0004381494.tif 000006
【図６】
0004381494.tif 000007
【図７】
0004381494.tif 000008
【図８】
0004381494.tif 000009
【図９】
0004381494.tif 000010
【図１０】
0004381494.tif 000011
【図１１】
0004381494.tif 000012